(57)【要約】【課題】ボディ側からの振動を吸収しつつ、コネクタの小型化を可能にする。【解決手段】本発明は、相手側コネクタに嵌合可能なコネクタ１０であって、相手側コネクタに設けられた相手側ハウジングに嵌合可能なハウジング２０と、ハウジング２０に保持され、相手側コネクタに設けられた相手側端子に接続される端子接続部５２Ａを有し、この端子接続部５２Ａに連なってバレル部５２Ｂが設けられた雌端子５２と、可撓性を有し、ハウジング２０の内部から外部に引き出された外部電線７０と、ハウジング２０の内部においてバレル部５２Ｂと外部電線７０を接続し、金属板材を略直角に曲げて構成された中継部５３Ｃを有し、この中継部５３Ｃがハウジング２０に固定された内部導電部材５０と、を備える構成としたところに特徴を有する。【選択図】図４
2014038793.tif 000002
【特許請求の範囲】
【請求項１】
相手側コネクタに嵌合可能なコネクタであって、
前記相手側コネクタに設けられた相手側ハウジングに嵌合可能なハウジングと、
前記ハウジングに保持され、前記相手側コネクタに設けられた相手側端子に接続される端子接続部を有し、この端子接続部に連なって導体接続部が設けられた端子と、
可撓性を有し、前記ハウジングの内部から外部に引き出された外部電線と、
前記ハウジングの内部において前記導体接続部と前記外部電線を接続し、金属板材を略直角に曲げて構成された中継部を有し、この中継部が前記ハウジングに固定された内部導電部材と、を備えるコネクタ。
【請求項２】
前記内部導電部材は、内部電線と、この内部電線に接続されて前記中継部を構成する中継端子とからなり、
この中継端子は、前記中継部の一側に配されて前記内部電線に固着される内部電線固着部と、同他側に配されて前記外部電線に固着される外部電線固着部と、を備えることを特徴とする請求項１に記載のコネクタ。
【請求項３】
前記中継部において前記ハウジングに固定される部分は、前記外部電線固着部と面一をなして配設され、前記ハウジングにねじで締結されることを特徴とする請求項２に記載のコネクタ。
【請求項４】
前記中継部は、前記ハウジングに圧入されることを特徴とする請求項２に記載のコネクタ。
【発明の詳細な説明】
【技術分野】
【０００１】
本発明は、コネクタに関する。
【背景技術】
【０００２】
従来、寸法精度の誤差等に起因したコネクタ嵌合の際の不具合を防止するコネクタが知られている（下記特許文献１参照）。
【０００３】
このコネクタは、コネクタ本体と底板部との間に配されたスプリングワッシャーの板ばねが、相手側コネクタが挿入された際に撓むことで、相手側コネクタの位置に応じてコネクタ本体が揺動するようになっている。
【先行技術文献】
【特許文献】
【０００４】
【特許文献１】特開２０００−２７７２１７号公報
【発明の概要】
【発明が解決しようとする課題】
【０００５】
ところで、特許文献１では、コネクタ本体からボディ側に導電部材が引き出され、この導電部材がボディに接続されているため、ボディ側からの振動が導電部材を介して端子金具に伝えられ、この端子金具と相手側端子金具との接続部分に不具合が生じることが懸念される。ここで、ボディ側からの振動を吸収すべく、導電部材として可撓性を有する電線を使用し、この電線をコネクタ本体に固定することも考えられる。しかしながら、電線の径が大きくなると、電線をコネクタ本体の角部において略直角に曲げてコネクタ本体に固定しようとした場合に、電線の曲げ半径が大きくなり、コネクタを小型化する上で不利になる。
【０００６】
本発明は上記のような事情に基づいて完成されたものであって、ボディ側からの振動を吸収しつつ、コネクタの小型化を可能にすることを目的とする。
【課題を解決するための手段】
【０００７】
本発明は、相手側コネクタに嵌合可能なコネクタであって、相手側コネクタに設けられた相手側ハウジングに嵌合可能なハウジングと、ハウジングに保持され、相手側コネクタに設けられた相手側端子に接続される端子接続部を有し、この端子接続部に連なって導体接続部が設けられた端子と、可撓性を有し、ハウジングの内部から外部に引き出された外部電線と、ハウジングの内部において導体接続部と外部電線を接続し、金属板材を略直角に曲げて構成された中継部を有し、この中継部がハウジングに固定された内部導電部材と、を備える構成としたところに特徴を有する。
【０００８】
このような構成によると、可撓性を有する外部電線によって振動を吸収しつつ内部導電部材をハウジングに固定することで振動を遮断することができる。また、内部導電部材の中継部を金属板材によって形成したから、曲げ半径を小さくすることができ、コネクタの小型化が可能である。
【０００９】
本発明の実施の態様として、以下の構成が好ましい。
内部導電部材は、内部電線と、この内部電線に接続されて中継部を構成するＬ字形状の中継端子とからなり、この中継端子は、中継部の一側に配されて内部電線に固着される内部電線固着部と、同他側に配されて外部電線に固着される外部電線固着部と、を備える構成としてもよい。
このような構成によると、中継部をＬ字形状として形成することができ、中継端子自体の構造が複雑になることはない。また、例えば内部電線に接続された丸端子と外部電線に接続された丸端子とをボルトで共締めして接続する場合には一対の丸端子とこれらを接続する締結部材とが必要になるところ、上記の構成によると、Ｌ字形状の中継端子のみを用意すればよく、部品点数の削減につながる。
【００１０】
中継部においてハウジングに固定される部分は、外部電線固着部と面一をなして配設され、ハウジングにねじで締結される構成としてもよい。
このような構成によると、振動の影響を受けやすい外部電線固着部側に中継部を配設しているため、振動の影響を遮断しやすい。また、ねじによる締結方向が、振動の伝わる方向に対して直交することになり、振動の影響をより遮断しやすくなる。
【００１１】
中継部は、ハウジングに圧入される構成としてもよい。
このような構成によると、圧入という簡易な手法によって中継部をハウジングに固定できるから、ハウジングにナットを圧入する等して端子台を設ける必要がなく、ハウジングを小型化できる。
【発明の効果】
【００１２】
本発明によれば、ボディ側からの振動を吸収しつつ、コネクタの小型化を可能にすることができる。
【図面の簡単な説明】
【００１３】
【図１】実施形態１のコネクタの正面図
【図２】コネクタの右側面図
【図３】図１におけるＡ−Ａ線断面図
【図４】コネクタの内部構造を斜め上方から見た斜視断面図
【図５】実施形態２のコネクタの正面図
【図６】図５のコネクタの右側面図
【図７】図５におけるＢ−Ｂ線断面図
【図８】図６におけるＣ−Ｃ線断面図
【図９】コネクタの内部構造を斜め上方から見た斜視断面図
【図１０】シールドシェルを外した状態におけるコネクタの右側面図
【図１１】図１０のコネクタのカバーを外した状態を後方から見た背面図
【図１２】図１０におけるＤ−Ｄ線断面図
【発明を実施するための形態】
【００１４】
＜実施形態１＞
本発明の実施形態１を図１ないし図４の図面を参照しながら説明する。本実施形態のコネクタ１０は、機器（例えば、ハイブリッド自動車や電気自動車等の車両のインバータやモータ等）のシールドケース（図示せず）に取り付けられるものである。シールドケースの内部には、コネクタ１０と嵌合可能な図示しない機器側コネクタ（相手側コネクタ）がコネクタ１０と嵌合方向に対向する位置に配されている。なお、以下において上下方向は、図１の上下方向を基準とする。また、前後方向については、図２の左右方向を基準とし、左方（機器側コネクタとの嵌合方向）を前方とし、右方（機器側コネクタとの離脱方向）を後方として説明する。
【００１５】
コネクタ１０は、図４に示すように、ハウジング２０、内部導電部材５０、カバー６０、外部電線７０、ゴム栓８０、ゴム栓押さえ９０、ロア部材１００、アッパ部材１１０、固定ねじ１４０、連結ねじ１５０などを備えて構成されている。ハウジング２０には、機器側コネクタに嵌合可能な端子収容部３０が設けられている。
【００１６】
内部導電部材５０は、可撓性を有し前後方向に延びて配された内部電線５１、内部電線５１の前端部に接続された雌端子５２、内部電線５１の後端部に接続された中継端子５３などを備えて構成されている。雌端子５２は、端子収容部３０の内部において抜け止め状態に保持されている。内部導電部材５０は、左右方向に並んで一対設けられ、隣り合う一対の内部導電部材５０は、互いに絶縁された状態で端子収容部３０の内部に収容されている。
【００１７】
雌端子５２は、機器側コネクタに設けられた雄端子（図示せず）に接続される角筒状の端子接続部５２Ａと、この端子接続部５２Ａの後方に連なって内部電線５１の前端部に圧着接続されるバレル部５２Ｂとを備えて構成されている。
【００１８】
一方、中継端子５３は全体としてＬ字状をなし、内部電線５１の後端部に圧着接続された内部電線圧着部５３Ａと、上下方向に延びる外部電線７０の上端部に圧着接続された外部電線圧着部５３Ｂと、内部電線圧着部５３Ａと外部電線圧着部５３Ｂを中継接続する中継部５３Ｃとを備えて構成されている。この中継端子５３は、中継部５３Ｃを略直角に折り曲げることでＬ字状に形成されている。
【００１９】
なお、本実施形態では、内部電線５１は雌端子５２および中継端子５３に圧着されているが、これに限らず、内部電線５１を雌端子５２や中継端子５３に対して、ろう接（ロウ付けやハンダ付け）や溶接等の種々の公知の接続手段により接続してもよい。同様に、中継端子５３と外部電線７０の接続は、上記した圧着に限らず、溶接等の他の種々の公知の接続方法によることも可能である。
【００２０】
外部電線７０は、複数の金属素線からなる芯線を絶縁被覆によって覆った電線とされている。外部電線７０は可撓性を有し、軸方向と交差する方向に撓み可能とされている。このため、ボディから伝わる振動の一部は、外部電線７０が撓むことによって一部が吸収され、外部電線７０で吸収しきれなかった振動は、中継端子５３に伝えられる。
【００２１】
ハウジング２０は合成樹脂製で、図３に示すように、側面視略Ｌ字状をなし、シールドケースのケース側開口に嵌合可能な嵌合部２１と、外部電線７０が下方に引き出された電線引出部２２とを両端部に配してこれらを連結した構成とされている。嵌合部２１の前面には、端子収容部３０の略前半部が前方に突出して配されている。また、電線引出部２２は、一対の外部電線７０を個別に収容可能な独立した一対の収容空間２３を有している。電線引出部２２の内部には、ゴム栓８０およびゴム栓押さえ９０が収容されている。
【００２２】
ゴム栓８０は各外部電線７０を個別に防水するゴム材からなるシール部材とされ、外部電線７０の外周面と電線引出部２２の内周面とによって全周に亘って挟持されている。また、ゴム栓押さえ９０は、電線引出部２２の内部に抜け止め状態で保持されている。これにより、ゴム栓８０は、電線引出部２２の収容空間２３をシールしつつ、ゴム栓押さえ９０によって電線引出部２２の内部に保持されている。
【００２３】
ハウジング２０は導電性の金属板材からなるシールドシェルによって覆われており、このシールドシェルは、鉄板、アルミニウムやアルミニウム合金等の金属製であって、ロア部材１００とアッパ部材１１０を互いに組み付けることによって構成されている。ロア部材１００は、主に電線引出部２２を覆う形態とされ、アッパ部材１１０は、主に嵌合部２１を覆う形態とされている。また、アッパ部材１１０には、シールドケースに取り付け固定される取付部１１１が形成されている。ハウジング２０の後面には、図３に示すように、固定ナット２５が圧入されたシェル連結部２７が形成されている。
【００２４】
シェル連結部２７には、ロア部材１００とアッパ部材１１０が重ねて配置されており、両部材１００，１１０に形成された各ねじ挿通孔に連結ねじ１５０を挿通させて固定ナット２５に共締めすることにより、両部材１００，１１０が電気的に接続された状態で連結されてシールドシェルとして一体化され、かつ、ハウジング２０に固定される。
【００２５】
嵌合部２１の外周面には、シールリング１８０が嵌着される嵌着溝が周設されている。このシールリング１８０は、嵌合部２１をケース側開口に嵌合させた際に、嵌着溝の底面とケース側開口の内面との間で全周に亘って挟持される。これにより、シールドケースの内部がシール状態に保持される。
【００２６】
また、電線引出部２２の外周面には、シールリング１８１が嵌着される嵌着溝が周設されている。このシールリング１８１は、シールドシェルのロア部材１００を電線引出部２２に外嵌させた際に、嵌着溝の底面とロア部材１００の内面との間で全周に亘って挟持される。これにより、ロア部材１００の内部がシール状態に保持される。
【００２７】
さて、ハウジング２０において嵌合部２１と電線引出部２２を連結する略直角の角部の内部には端子固定部２４が配設され、この端子固定部２４には、ナット（図示せず）が圧入されている。このナットに、中継端子５３の中継部５３Ｃを配置し、中継部５３Ｃに形成された円孔に固定ねじ１４０を挿通させてナットに締結することにより、中継端子５３が端子固定部２４に固定される。これにより、外部電線７０から伝わる振動などがハウジング２０に内蔵された端子固定部２４によって遮断される。仮に、ハウジング２０によって全ての振動などを遮断できなかったとしても、端子固定部２４の先に控えた内部電線５１が撓んで残りの振動などを全て吸収するため、雄端子と雌端子５２の接点部に影響を及ぼすことはない。
【００２８】
また、中継端子５３の中継部５３Ｃは、端子固定部２４の角部に沿って配されている。仮に、外部電線７０を端子固定部２４の角部で略直角に折り曲げようとした場合、外部電線７０の曲げ半径が大きくなり、ハウジング２０の内部に収容しきれなくなってしまう。その点、本実施形態では金属板材からなる中継部５３Ｃに略直角の曲げ部を設けているため、中継部５３Ｃの曲げ半径を極めて小さくすることができる。したがって、コネクタ１０の小型化に寄与しうる。
【００２９】
ハウジング２０において端子固定部２４の後方には、図３に示すように、カバー６０が装着される作業孔６２が形成されている。カバー６０は、作業孔６２の内周面に密着してハウジング２０の内部をシールするシールリング６１を備えている。一対の固定ねじ１４０は、作業孔６２から外部に臨んでいる。このため、作業孔６２から六角レンチなどの工具を挿入して固定ねじ１４０の締結作業を容易に行うことができる。作業終了後は、作業孔６２にカバー６０を嵌着することでハウジング２０の内部をシール状態に保持することができる。
【００３０】
本実施形態は以上のような構成であって、続いてその作用を説明する。まず、２本の外部電線７０をロア部材１００に挿通した後に、電線引出部２２からハウジング２０の収容空間２３に挿入し、作業孔６２を通ってハウジング２０に先通ししておく。また、内部電線５１の一端側に雌端子５２を圧着し、他端側に中継端子５３を圧着して内部導電部材５０を形成する。また、中継端子５３の外部電線圧着部に外部電線７０が圧着によって固定される。その後、雌端子５２を作業孔６２からハウジング２０の内部に進入させ、端子収容部３０の内部に後方から挿入し、雌端子５２が端子収容部３０の正規位置まで挿入されると、端子収容部３０の内部において片持ち状に形成されたランスによって雌端子５２が抜け止めされる。これに伴って、中継端子５３を作業孔６２からハウジング２０の内部に進入させ、中継部５３Ｃを端子固定部２４の角部に沿って配置する。そして、中継部５３Ｃの円孔がナットのねじ孔と同軸で配置された状態とし、固定ねじ１４０を円孔を通してナットのねじ孔に締結していくと、中継端子５３が端子固定部２４に固定される。
【００３１】
また、外部電線７０に先通ししておいたゴム栓８０をロア部材１００の下端開口から嵌め入れ、さらにその下にゴム栓８０を保持するようにゴム栓押さえ９０を装着する。この後、作業孔６２にカバー６０を取り付けて閉塞し、シールリング６１によってハウジング２０の内部をシールする。
【００３２】
次に、外部電線７０に先通ししておいたロア部材１００をハウジング２０の電線引出部２２に外嵌するように装着する。また、ハウジング２０の後方からアッパ部材１１０を装着する。すると、各部材１００，１１０がシェル連結部２７において重なって載置され、連結ねじ１５０を固定ナット２５に締結し、各部材１００，１１０をハウジング２０に固定する。これにより、両部材１００，１１０が一体化されたシールドシェルが形成され、このシールドシェルによってハウジング２０が覆われる。
【００３３】
以上のように本実施形態によれば、可撓性を有する外部電線７０によって振動を吸収しつつ内部導電部材５０をハウジング２０に固定することで振動を吸収することができる。さらに、内部導電部材５０の中継部５３Ｃを金属板材によって形成したから、曲げ半径を小さくすることができ、コネクタ１０の小型化が可能である。
【００３４】
内部導電部材５０は、内部電線５１と、この内部電線５１に接続されて中継部５３Ｃを構成する中継端子５３とからなり、この中継端子５３は、中継部５３Ｃの一側に配されて内部電線５１に圧着される内部電線圧着部５３Ａと、同他側に配されて外部電線７０に圧着される外部電線圧着部５３Ｂと、を備える構成としてもよい。
【００３５】
このような構成によると、中継部５３ＣをＬ字形状として形成することができる。また、例えば内部電線５１に接続された丸端子と外部電線７０に接続された丸端子とを共締めして接続する場合には各電線５１，７０に接続された一対の端子と締結部材が必要になるところ、上記の構成によると、Ｌ字形状の中継端子５３のみを用意すればよく、部品点数の削減につながる。また、一対の丸端子を端子固定部２４で共締めする必要はなく、中継部５３Ｃの円孔に固定ねじ１４０を通して端子固定部２４に締結するだけでよいから、作業性がよい。
【００３６】
中継部５３Ｃにおいてハウジング２０に固定される部分は、外部電線圧着部５３Ｂと面一をなして配設され、ハウジング２０に固定ねじ１４０で締結される構成としてもよい。
このような構成によると、振動の影響を受けやすい外部電線圧着部５３Ｂ側に中継部５３Ｃを配設しているため、振動の影響を遮断しやすい。また、固定ねじ１４０による締結方向が、振動の伝わる方向に対して直交することになり、振動の影響をより遮断しやすくなる。
【００３７】
＜実施形態２＞
次に、本発明の実施形態２を図５ないし図１２の図面を参照しながら説明する。本実施形態は、実施形態１とは異なり、中継端子を圧入によってハウジングに固定したものであって、実施形態１と共通する構成、作用、および効果についてはその説明を省略するものとし、実施形態１と同一の符号を用いるものとする。
【００３８】
本実施形態のコネクタ２１０は、図９に示すように、ハウジング２２０、内部導電部材２３０、カバー６０、外部電線７０、ゴム栓８０、ゴム栓押さえ９０、固定ねじ１４０、連結ねじ１５０、シールドシェル２４０などを備えて構成されている。ハウジング２２０には、機器側コネクタに嵌合可能な端子収容部３０が設けられている。端子収容部３０は、図８に示すように、リテーナ４０によって前方に抜け止めされている。
【００３９】
シールドシェル２４０は、図７に示すように、実施形態１におけるロア部材１００とアッパ部材１１０を一体に形成したものであって、ハウジング２２０全体を覆う形態とされている。なお、本実施形態では、電線引出部２２とシールドシェル２４０の間にシールリング１８１が設けられていない。
【００４０】
ハウジング２２０の上面には、固定ナット２５が圧入されたシェル固定部２６が形成されている。このシェル固定部２６には、シールドシェル２４０が載置されており、このシールドシェル２４０の上面に形成されたねじ挿通孔に取付ねじ１３０を貫通させて固定ナット２５に締め込むことにより、シールドシェル２４０がハウジング２２０に固定されている。なお、本実施形態では、実施形態１のシェル連結部２７は設けられていない。
【００４１】
さて、本実施形態の内部導電部材２３０は、可撓性を有し前後方向に延びて配された内部電線５１、内部電線５１の前端部に接続された雌端子５２、内部電線５１の後端部に接続された中継端子２３１などを備えて構成されている。雌端子５２は、図８に示すように、端子収容部３０の内部において片持ち状に形成されたランス３５によって抜け止め状態に保持されている。内部導電部材２３０は、左右方向に並んで一対設けられ、隣り合う一対の内部導電部材２３０は、互いに絶縁された状態で端子収容部３０の内部に収容されている。
【００４２】
中継端子２３１は、左右方向に並んで一対設けられ、各中継端子２３１は、対応する収容空間２３に収容されている。隣り合う一対の中継端子２３１は、隣り合う一対の収容空間２３を仕切る隔壁２２１によって隔離されている。これにより、隣り合う一対の中継端子２３１間の沿面距離（絶縁性）が確保されている。
【００４３】
図９に示すように、中継端子２３１は全体としてＬ字状をなし、内部電線５１の後端部に圧着接続された内部電線圧着部２３２と、上下方向に延びる外部電線７０の上端部に圧着接続された外部電線圧着部２３３と、内部電線圧着部２３２と外部電線圧着部２３３を中継接続する中継部２３４とを備えて構成されている。この中継端子２３１は、中継部２３４を略直角に折り曲げることでＬ字状に形成されている。中継部２３４のうち内部電線圧着部２３２と面一をなす水平部２３４Ａの左右両側縁には、一対の圧入突起２３５が張り出し形成されている。
【００４４】
一方、ハウジング２２０における中継端子２３１を挟む両側壁には、図１１および図１２に示すように、一対の端子固定部２２２が設けられている。この端子固定部２２２には、各圧入突起２３５が後方から圧入される複数の圧入凹部２２３が形成されている。各圧入突起２３５が各圧入凹部２２３に圧入されると、各中継端子２３１がハウジング２２０に固定される。
【００４５】
これにより、外部電線７０から伝わる振動などがハウジング２２０に内蔵された端子固定部２２２によって遮断される。特に各圧入突起２３５の圧入方向が、振動の伝わる方向に対して直交することになり、振動の影響をより遮断しやすくなる。仮に、ハウジング２２０によって全ての振動などを遮断できなかったとしても、端子固定部２２２の先に控えた内部電線５１が残りの振動などを全て吸収するため、雄端子と雌端子５２の接点部に影響を及ぼすことはない。
【００４６】
以上のように本実施形態では、圧入という簡易な手法によって中継端子２３１をハウジング２２０に固定できるから、ハウジング２２０にナットを圧入する等して端子台を設ける必要がなく、ハウジング２２０を小型化できる。
【００４７】
＜他の実施形態＞
本発明は上記記述及び図面によって説明した実施形態に限定されるものではなく、例えば次のような実施形態も本発明の技術的範囲に含まれる。
（１）上記実施形態では、内部電線圧着部と外部電線圧着部が中継部の両側に配されて略Ｌ字状に形成された中継端子を例示しているものの、本発明によると、中継部が金属板材を略直角に曲げて構成されているものであればよく、内部電線圧着部と外部電線圧着部の配置は問わない。
【００４８】
（２）上記実施形態では、中継端子の一端に内部電線５１が接続され、この内部電線５１が雌端子５２に接続されているものの、本発明によると、内部電線５１をなくして中継端子の一端に雌端子５２を直接接続してもよい。
【００４９】
（３）上記実施形態では、中継端子の中継部をハウジングに固定しているものの、本発明によると、中継端子の中継部を予めハウジングにインサート成形したものでもよい。
【００５０】
（４）上記実施形態では、内部電線５１と外部電線７０を中継端子５３の各圧着部にそれぞれ圧着接続しているものの、本発明によると、例えば超音波溶着等によって内部電線５１と外部電線７０を中継部に直接接続してもよい。
【符号の説明】
【００５１】
１０…コネクタ
２０，２２０…ハウジング
２４，２２２…端子固定部
５０，２３０…内部導電部材
５１…内部電線
５２…雌端子
５２Ａ…端子接続部
５２Ｂ…バレル部（導体接続部）
５３，２３１…中継端子
５３Ａ，２３２…内部電線圧着部
５３Ｂ，２３３…外部電線圧着部
５３Ｃ，２３４…中継部
７０…外部電線
１４０…固定ねじ
【図１】
2014038793.tif 000003
【図２】
2014038793.tif 000004
【図３】
2014038793.tif 000005
【図４】
2014038793.tif 000006
【図５】
2014038793.tif 000007
【図６】
2014038793.tif 000008
【図７】
2014038793.tif 000009
【図８】
2014038793.tif 000010
【図９】
2014038793.tif 000011
【図１０】
2014038793.tif 000012
【図１１】
2014038793.tif 000013
【図１２】
2014038793.tif 000014